(57)【特許請求の範囲】
【請求項１】
相互に接続された販売機とセンタシステムとを用いて通信機器の販売を行う販売方法であって、
前記販売機から入力される申込者の情報に基づき、前記センタシステムにおいて当該申込者と通信事業者との間の契約の処理を実行し、これによって当該申込者に関する契約者識別情報を取得し、取得された契約者識別情報を前記販売機側において契約者識別情報記録媒体に書込み、
前記販売機において前記申込者から通信機器の機種の選択を受け付け、この通信機器の代金の決済の処理を行った後に、選択された機種の通信機器と、前記契約者識別情報が書き込まれた前記契約者識別情報記録媒体とを排出する
ことを特徴とする販売方法。
【請求項２】
相互に接続された販売機とセンタシステムとを用いて通信機器の販売を行う販売方法であって、
前記販売機に設けられた申込者用画像取得手段によって取得された申込者の画像を、前記販売機側から前記センタシステム側に送信し、
前記販売機に設けられた身分証明書用画像取得手段によって取得された身分証明書の画像を、前記販売機側から前記センタシステム側に送信し、
前記センタシステム側で受信した前記申込者の画像と前記身分証明書の画像を対比して前記申込者の確認を行い、
前記販売機において入力された前記申込者の情報に基づき、前記センタシステムにおいて当該申込者と通信事業者との間の契約の処理を実行し、これによって当該申込者に関する契約者識別情報を取得し、
取得された契約者識別情報を前記販売機側において契約者識別情報記録媒体に書込み、
前記販売機において、前記申込者から通信機器の機種の選択を受け付け、
代金の決済の処理を行い、
選択された機種の通信機器と、前記契約者識別情報が書き込まれた前記契約者識別情報記録媒体とを排出する
ことを特徴とする販売方法。
【発明の詳細な説明】
【０００１】
【発明の属する技術分野】
この発明は、通信ネットワークを用いた販売装置および販売方法に関する。特に、携帯型電話端末などといった通信端末機器を販売するための販売装置および販売方法に関する。
【０００２】
【従来の技術】
従来、携帯型電話端末機器は、専門店や家電製品量販店などにおいて、顧客と店員との対面によって販売する方法がとられていた。このような販売形態がとられている理由のひとつは、次のような事情によるものである。
その事情とは、携帯型電話端末機器販売事業者は、単に端末機器を販売するだけでなく、顧客と移動体通信事業者との間の契約の仲介および事務代行を行う業務を併せて行っていることである。つまり、顧客は、店舗において電話端末機器の商品の説明を受け、購入する電話端末機器を決定し、移動体通信事業者との契約についての説明を受け、どのような種類の契約を結ぶかを選択し、当該店舗において契約の申し込みを行う。このとき、店舗側では、身分証明書などの提示を求めてその内容を参照することによって、顧客が契約の申込書に記載された本人であるかどうかを確認する。
【０００３】
以上のような販売方法をとることによって、顧客は電話端末機器の購入と移動体通信事業者との契約を同一店舗で行うことができるという利便性が得られている。また、店舗は、上記のようなワンストップショッピングの利便性を提供することによって集客力を高めるとともに、端末機器販売と契約仲介という相互に関連性の高い事業の両方を行うことによって収益機会を増やしている。
【０００４】
【発明が解決しようとする課題】
しかしながら、上記のような従来の販売方法では、店舗に店員を配置しなければならないために、人件費等のコストがかかるという問題があった。特に、戦略的に多店舗展開しようとする場合には、各々の店舗の規模に関わらず営業時間内には固定的に店員を配置しておく必要があるため、コスト負担が重くなるという問題があった。
【０００５】
本発明は、以上のような事情を考慮してなされたものであり、少ない人員によって販売および契約仲介を行うことのできる販売装置および販売方法を提供することを目的とする。
【０００６】
【課題を解決するための手段】
上記の課題を解決するために、本発明は、申込者による操作を受け付ける操作手段と、記録媒体に申込者の識別情報を書き込む記録媒体書込手段と、前記操作手段によって受け付けた申込者の情報に基づき、当該申込者の識別情報を取得し、該識別情報を前記記録媒体に書き込むように前記記録媒体書込手段を制御する制御手段とを備えることを特徴とする販売装置を要旨とする。
【０００７】
また、本発明の販売装置は、前記申込者が発する音声を集音して電気信号に変換するマイクロフォンと、電気信号を音声に変換して前記申込者に対して出力するスピーカとを備えることを特徴とする。
【０００８】
また、本発明の販売装置は、前記申込者の身分証明書の画像を取得するための身分証明書用画像取得手段と、前記申込者自身の画像を取得するための申込者用画像取得手段とを備え、前記身分証明書用画像取得手段によって取得された画像と、前記申込者用画像取得手段によって取得された画像とを対比して確認できるようにしたことを特徴とする。
【０００９】
また、本発明の販売装置は、前記身分証明書用画像取得手段によって取得された画像と、前記操作手段を用いて入力された前記申込者の情報とを対比して確認できるようにしたことを特徴とする。
【００１０】
また、本発明の販売装置は、前記操作手段を用いて選択された通信機器を、代金決済の処理の完了後に排出することを特徴とする。
【００１１】
また、本発明の販売装置は、販売機と、センタシステムと、オペレータ用端末からなる販売装置であって、前記販売機と前記センタシステムと前記オペレータ用端末とは相互に接続されており、前記販売機は、申込者の身分証明書の画像を取得するための身分証明書用画像取得手段と、前記申込者自身の画像を取得するための申込者用画像取得手段と、前記申込者が発する音声を電気信号に変換するマイクロフォンと、電気信号を音声に変換して前記申込者に対して出力するスピーカと、前記申込者による操作を受け付ける操作手段と、記録媒体に申込者の識別情報を書き込む記録媒体書込手段と、前記操作手段によって受け付けた申込者の情報に基づき、当該申込者の識別情報を取得し、該識別情報を前記記録媒体に書き込むように前記記録媒体書込手段を制御する制御手段とを備えており、前記センタシステムは、前記身分証明書用画像取得手段によって取得された画像および前記申込者用画像取得手段によって取得された画像を前記オペレータ用端末に表示させ、前記マイクロフォンから出力される前記信号を受信して前記オペレータ用端末に送信し、前記オペレータ用端末から受信した信号を前記スピーカから出力するために前記販売機に送信し、前記申込者の情報を前記販売機から受信して前記オペレータ用端末に表示させ、該申込者の情報を基に当該申込者の識別情報を取得して前記記録媒体書込手段によって前記記録媒体に書き込むために前記販売機に送信することを特徴とするものである。
【００１２】
また、本発明の販売装置は、複数の前記販売機と複数の前記オペレータ用端末とを備えており、前記センタシステムは、前記販売機側でオペレータを必要とする処理が発生した際には、その時点で空いている前記オペレータ用端末を当該販売機の処理のために接続し、前記販売機側でオペレータを必要とする処理が発生した際に空いているオペレータ用端末がない場合には、当該処理要求を前記センタシステム内の待ち行列に一時的に蓄積することを特徴とするものである。
【００１３】
また、本発明は、相互に接続された販売機とセンタシステムとを用いて通信機器の販売を行う販売方法であって、前記販売機から入力される申込者の情報に基づき、前記センタシステムにおいて当該申込者と通信事業者との間の契約の処理を実行し、これによって当該申込者に関する契約者識別情報を取得し、取得された契約者識別情報を前記販売機側において契約者識別情報記録媒体に書込み、この契約者識別情報記録媒体を排出することを特徴とするものである。
【００１４】
また、本発明の販売方法は、前記販売機において前記申込者から通信機器の機種の選択を受け付け、この通信機器の代金の決済の処理を行った後に、選択された機種の通信機器を排出することを特徴とするものである。
【００１５】
また、本発明の販売方法は、相互に接続された販売機とセンタシステムとを用いて通信機器の販売を行う販売方法であって、前記販売機に設けられた申込者用画像取得手段によって取得された申込者の画像を、前記販売機側から前記センタシステム側に送信し、前記販売機に設けられた身分証明書用画像取得手段によって取得された身分証明書の画像を、前記販売機側から前記センタシステム側に送信し、前記センタシステム側で受信した前記申込者の画像と前記身分証明書の画像を対比して前記申込者の確認を行い、前記販売機において入力された前記申込者の情報に基づき、前記センタシステムにおいて当該申込者と通信事業者との間の契約の処理を実行し、これによって当該申込者に関する契約者識別情報を取得し、取得された契約者識別情報を前記販売機側において契約者識別情報記録媒体に書込み、前記販売機において、前記申込者から通信機器の機種の選択を受け付け、代金の決済の処理を行い、選択された機種の通信機器と、前記契約者識別情報が書き込まれた前記契約者識別情報記録媒体とを排出することを特徴とするものである。
【００１６】
【発明の実施の形態】
以下、図面を参照しこの発明の一実施形態について説明する。図１は、同実施形態による販売装置の構成を示すブロック図である。この販売装置は携帯型電話端末機器（通信機器）を販売するためのものである。図１において、符号１は店舗に設置された販売機、２は販売機１に接続された通信ネットワーク、３は通信ネットワーク２を介して販売機１に接続されているセンタシステム、４はセンタ側のオペレータが操作するためのオペレータ用端末である。
【００１７】
販売機１は、制御部１０（制御手段）と、映像・音声送受信部１１と、データ送受信部１２と、身分証明書撮影用カメラ１３（身分証明書用画像取得手段）と、申込者撮影用カメラ１４（申込者用画像取得手段）と、マイクロフォン１５と、スピーカ１６と、表示装置１７と、操作用ボタン１８（操作手段）と、記録媒体書込装置１９（記録媒体書込手段）とを備えている。また、センタシステム３は、制御部３０と、映像・音声送受信部３１と、データ送受信部３２と、記憶部３３とを備えている。
【００１８】
通信ネットワーク２は、例えば電話回線や光ファイバ通信線を用いて構成されている。映像・音声送受信部１１と３１との間の通信は、この通信ネットワーク２を介して行われる。また、データ送受信部１２と３２との間の通信も、通信ネットワーク２を介して行われる。
【００１９】
各構成要素は、次に述べるような機能を有する。
身分証明書撮影用カメラ１３は、この販売機を利用して携帯型電話端末機器を購入したり移動通信事業者との契約を結んだりする顧客の身分を証明する書類（例えば運転免許証など）を撮影する。また、申込者撮影用カメラ１４は、上記の顧客を正面から撮影する。これら身分証明書撮影用カメラ１３および申込者撮影用カメラ１４によって撮影された画像は、映像・音声送受信部１１から映像・音声送受信部３１に送信され、オペレータ用端末４に表示されるとともに、記憶部３３に蓄積することもできるようになっている。
【００２０】
マイクロフォン１５は、上記顧客から発せられる音声を集音し電気信号に変換する。この信号は、映像・音声送受信部１１および映像・音声送受信部３１を経由してオペレータ用端末４に送信され、オペレータ用端末４おいて音声に復元される。また、スピーカ１６は、オペレータ用端末４から映像・音声送受信部３１および映像・音声送受信部１１を経由して送られてくる信号（電気信号）を、利用者が聴くことのできる音声に変換して出力する。これにより、顧客とセンタ側のオペレータとが会話をすることができる。
【００２１】
表示装置１７は、制御部１０からの信号に基づいて情報を表示する。また、映像・音声送受信部１１が受信した映像を表示装置１７に表示させることもできる。従って、オペレータ用端末４にカメラを設け、そのカメラによって撮影したオペレータの顔の画像を通信ネットワーク２を経由して販売機１側に送信することにより、表示装置１７にセンタ側のオペレータの顔画像を表示することができる。これにより、顧客とオペレータとが相互に相手の顔の画像を見ながら操作を行える。
また、操作用ボタン１８は、顧客による操作に応じて、制御部１０に対する信号を発する。
また、記録媒体書込装置１９は、制御部１０からの信号に基づき、契約者識別情報記録媒体への情報の書込みを行う。
【００２２】
制御部１０は、上記操作用ボタン１８からの信号に応じた制御を行うとともに、必要な情報を表示装置１７に表示させる。また、制御部１０は、映像・音声送受信部１１の動作を制御する。また、制御部１０は、データ送受信部１２を介してセンタシステム３側とデータのやりとりを行える。
【００２３】
なお、センタシステム３側においては、制御部３０がセンタシステム３全体を制御する。また、制御部３０は、オペレータ用端末４との間でデータの送受信を行う。また、制御部３０は、データ送受信部３２を介して販売機１側とデータの送受信を行う。また、制御部３０は、映像・音声送受信部３１がオペレータ用端末４側あるいは販売機１側と通信するのを制御する。また、制御部３０は、記憶部３３にデータを書き込んだり地億部３３からデータを読み出したりする。
【００２４】
なお、オペレータ用端末や販売機は、それぞれ複数台接続されていても良い。図２は、複数のオペレータ用端末４と複数の販売機１を含む販売装置の構成を示すブロック図である。図２に示すように、オペレーションセンタ内には複数台のオペレータ用端末４が設けられており、これらはそれぞれセンタシステム３に接続されている。また、店舗が複数存在しており、それぞれの店舗に１台または複数台の販売機１が設置されている。これらの販売機１は、それぞれ通信ネットワーク２を介してセンタシステム３に接続されている。
そして、センタシステム３は、販売機１側でオペレータを必要とする処理が発生した際には、その時点で空いているオペレータ用端末４を当該販売機１における処理のために接続する。販売機１側でオペレータを必要とする処理が発生した際に空いているオペレータ用端末４がない場合には、当該処理要求はセンタシステム３内の待ち行列に一時的に蓄積される。そして、オペレータ用端末４が空いた時点で待ち行列から順次処理要求が取り出されて、その処理を行うためにオペレータ用端末４が接続される。
【００２５】
次に、図面を参照しながら、本実施形態による販売の手順について説明する。図３および図４は、本実施形態による販売の処理手順を示すフローチャートである。図示するように、販売の処理は、販売機（１）側とセンタシステム（３）側との間の対話的処理として実行される。
なお、携帯型電話端末機器の販売には、「新規」と「変更」の２種類の形態があり、図３および図４に示す手順はこれら２種類の形態を包含している。「新規」とは、移動体通信事業者との間でまだ契約をしていない顧客が、携帯型電話端末機器を購入すると同時に、移動体通信事業者との間の契約を結ぶ形態である。また、「変更」とは、既に移動体通信事業者との間の契約を結んでいる顧客が、従来使用していた携帯型電話端末機器に変えて新たな携帯型電話端末機器を購入し、その新たな端末機器を用いて従来からの契約による通信サービスを継続して利用するという形態である。
【００２６】
図３および図４に示す手順では、契約者識別情報記録媒体を用いて電話利用者を識別する方法を前提としている。契約者識別情報記録媒体の具体例はＳＩＭ（Subscriber Identity Module）カードである。ＳＩＭカードは、半導体メモリを内蔵したスマートカードであり、ＧＳＭ（Global System for Mobile Communications ）システムに用いるために、契約者の識別番号やセキュリティ情報をメモリ上に記憶するものである。利用者は、このＳＩＭカードをＧＳＭ対応の電話端末機器に挿入することにより、当該端末機器から通信サービスを利用することができる。
【００２７】
以下、図３および図４の流れに沿って説明する。
まず図３のステップＳ１において、販売機は、申込者によって「開始」ボタン（操作用ボタン（１８））が押下されるのを検知する。するとステップＳ２において、販売機はセンタシステムに対して開始要求を送信する。これに応じて、ステップＳ３において、センタシステムから販売機に開始確認応答が返される。
【００２８】
次に、販売機は、表示装置（１７）に表示を行い、申込者が操作用ボタン（１８）によって「新規」あるいは「変更」のいずれかを選択できるようにして、ステップＳ４において、申込者による選択がそのいずれであるかを判断する。そして、「新規」である場合には次のステップＳ５に進み、「変更」である場合には図４に示すステップＳ２１へ飛ぶ。
【００２９】
次のステップＳ５〜Ｓ２０では、「新規」の場合の申込者と通信事業者との間で契約を結ぶための処理を行う。
ステップＳ５では、申込者撮影用カメラ（１４）によって撮影される申込者の映像の販売機側からセンタシステム側への送信を開始する。これに応じて、ステップＳ６では、センタシステム側において、申込者の映像の受信を開始する。
そしてステップＳ７において、センタシステムは、オペレータ用端末への接続を行い、当該オペレータ用端末と販売機との間で音声および映像による通信を可能とする。これによって、オペレータによる手続・処理の案内が可能となる。
【００３０】
次に、オペレータからのガイダンスに従って、あるいは表示装置（１７）への表示情報に従って、申込者が身分証明書撮影用カメラ（１３）によって撮影可能な位置に写真入の身分証明書をセットする。すると、ステップＳ８において身分証明書撮影用カメラ（１３）によって撮影された画像が読み取られ、ステップＳ９においてその画像が販売機側からセンタシステム側に送信される。
センタシステムは、ステップＳ１０において、受信した身分証明書画像を記憶部（３３）に蓄積する。また、センタシステムは、この身分証明書画像をオペレータ用端末に表示する。このようにして、ステップＳ１１において、センタ側オペレータが申込者の映像と身分証明書画像上の顔写真とを見比べて申込者本人を確認することができるようになる。
つまり、この販売装置では、身分証明書撮影用カメラによって撮影された画像と、申込者撮影用カメラによって撮影された画像とを対比して確認できるようになっている。
また、オペレータによる本人確認が完了すると、ステップＳ１２において、センタシステムから販売機に対して、本人確認完了通知が送られる。
【００３１】
次に、オペレータからのガイダンスに従って、あるいは表示装置（１７）への表示情報に従って、申込者が、住所や氏名などといった申込者情報を入力する。販売機は、ステップＳ１３においてこの申込者情報の入力を受け付け、ステップＳ１４においてセンタシステムに対して申込者情報を送信する。
【００３２】
センタシステム側では、ステップＳ１５において、受信した上記申込者情報を記憶部（３３）に蓄積する。そして、センタシステムはこの申込者情報をオペレータ用端末に表示する。すると、ステップＳ１６において、センタ側オペレータが、上記申込者情報と身分証明書画像上の記載事項とを照合して確認することが可能となる。
【００３３】
ステップＳ１６における確認が完了すると、次に図４のステップＳ１７において、センタシステムは、上で受信した申込者情報を用いて、通信事業者と申込者との間の契約の処理を実行するとともに、通信事業者から当該申込者に関する契約者識別情報を取得する。なお、この契約の処理は、センタシステム（３）と通信事業者のコンピュータとを通信回線等によって結ぶことによって自動的に行っても良いし、オペレータが電話等によって通信事業者と連絡することによって行っても良い。
そして、ステップＳ１８において、取得された契約者識別情報が、センタシステムから販売機に対して送信される。
【００３４】
そして、ステップＳ１９において、販売機側では、記録媒体書込装置（１９）を用いて、上で受信した契約者識別情報を予め販売機内にストックされている契約者識別情報記録媒体に書き込む。
また、ステップＳ２０において、センタシステムは、接続されていたオペレータ用端末を解放する。これによってオペレータによる案内を終了する。
【００３５】
次に、ステップＳ２１において、販売機は、申込者による電話端末機種の選択を受け付ける。なお、申込者が容易に選択を行えるように、電話端末機種ごとの機能説明や外観デザインは表示装置（１７）に表示される。あるいは、申込者が手に取って見ることができるように、携帯型電話端末機器の見本製品が販売機の場所に置かれている。また、申込者の要求に応じてセンタ側のオペレータ用端末を接続することにより、オペレータの音声により各機種の機能などを説明することもできる。
【００３６】
そして、ステップＳ２２において、販売機は、携帯型電話端末機器の代金等の決済金額を計算し、決済手続を受け付ける。決済金額は、上のステップＳ２１において選択された電話端末機種に基づいて算出される。また、新規契約の場合において、当該契約を結ぶことによる費用を決済する必要がある場合には、この費用も加算される。なお、決済手段は、現金、クレジットカード、デビットカードなどの中から申込者が選択することができる。また、既に申込者と通信事業者との間の契約が行われているため、その契約内容に基づく通信事業者経由での決済を選択できるようにしても良い。
【００３７】
そして、ステップＳ２３において、販売機はセンタシステムに対して決済情報（決済金額、決済手段、クレジットカード番号など）を送信する。すると、センタシステムは、ステップＳ２４において決済処理を実行し、ステップＳ２５において販売機に対して決済確認応答を送信する。
【００３８】
決済確認応答を受けると、販売機は、ステップＳ２６において、上で選択された機種の携帯型電話端末機器を排出する。また、「新規」の場合には、販売機は、ステップＳ２７において、上で契約者識別情報が書き込まれた契約者識別情報記録媒体を排出する。
このようにして、「新規」の場合には、ステップＳ２７で排出された契約者識別情報記録媒体をステップＳ２６で排出された携帯型電話端末機器に挿入することにより、通信サービスを利用できるようになる。
また、「変更」の場合には、申込者が従来より持っている契約者識別情報記録媒体をステップＳ２６で排出された携帯型電話端末機器に挿入することにより、通信サービスを利用できるようになる。
なお、ステップＳ２７の処理の後で、契約内容の控えや、代金の領収書を印刷して出力するようにしても良い。
【００３９】
そして、ステップＳ２８において、販売機はセンタシステムに対して終了要求を送信する。これに応じて，ステップＳ２９において、センタシステムは販売機に対して終了確認応答を送信する。
【００４０】
上述した販売機およびセンタシステムは、コンピュータシステムを用いて実現されている。そして、上述した契約および販売の手順における処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
なお、本実施形態の販売装置によって販売する機器は、音声による通信を行うための携帯電話端末やＰＨＳ（Personal Handy-phone System ）端末に限らず、パソコン等に挿入して用いるカード型の無線データ通信装置や、無線通信機能を有するＰＤＡ（Personal Digital Assistant）装置であっても良い。
【００４２】
以上、図面を参照してこの発明の実施形態を詳述してきたが、具体的な構成はこれらの実施形態に限られるものではなく、この発明の要旨を逸脱しない範囲の設計等も含まれる。
【００４３】
例えば、上記の実施形態では、身分証明書の画像を取得する手段として身分証明書撮影用カメラ（１３）を用いることとしたが、カメラの代わりに光学スキャナ等を用いて身分証明書の画像を取得するようにしても良い。
【００４４】
また、販売機内に記録媒体読取装置を設け、利用者がこの記録媒体読取装置に自分の記録媒体を挿入した際にその記録媒体を読み取って利用者（契約者）を識別し、当該契約者の契約内容を変更できるようにしても良い。契約内容の変更とは、例えば、複数種類の料金プランが存在する場合に現在選択されている料金プランから他の料金プランに変更したり、新たな付加的サービスに加入したり、それまで加入していた付加的サービスを中止したり、新たな割引プランを開始したりといった内容である。このような契約内容の変更の処理は、販売機からセンタシステムを経て通信事業者のコンピュータにデータを送信することにより実行される。これにより、利用者は契約内容の変更のためにわざわざ通信事業者等の窓口へ行く必要がなくなり、飛躍的に利便性が向上する。
【００４５】
また、同様に利用者が上記記録媒体読取装置に自分の記録媒体を挿入した際にその記録媒体を読み取って利用者（契約者）を識別し、当該契約者が通信サービス利用料金をその場で支払えるようにしても良い。この料金の決済は、クレジットカードやデビットカードや現金などを用いて行われる。これにより、利用者は、金融機関等の窓口へ行かずに料金支払を行うことができ、利便性が向上する。
【００４６】
また、利用者が販売機を操作することによって記憶媒体に書かれている情報を書き換えることができるようにしても良い。
【００４７】
また、さらに、利用者が電話端末機種を選ぶ際に、画面上での操作により、各電話端末機種の機能の説明情報や、プロモーションビデオ映像を見ることができるようにしても良い。これらの情報は、テキストや音声や映像情報の形式でセンタシステム側から販売機側に配信される。これにより、利用者にとっては、カタログだけではわかりにくい各機種の特徴を確認できる。例えば、電話端末機器の画面の表示内容例や、電話端末機器に映像コンテンツ等を表示する場合の画質などを実際に確認することができる。また、例えば、着信メロディの音質などを実際に耳で聴いて確認することができる。これらの情報は、利用者にとって電話端末機器を購入する際の良い検討材料となる。
【００４８】
【発明の効果】
以上説明したように、この発明によれば、販売装置が、申込者による操作を受け付ける操作手段と、記録媒体に申込者の識別情報を書き込む記録媒体書込手段と、前記操作手段によって受け付けた申込者の情報に基づき、当該申込者の識別情報を取得し、該識別情報を前記記録媒体に書き込むように前記記録媒体書込手段を制御する制御手段とを備えるため、通信機器の販売に伴って必要となる申込者と通信事業者との間の契約の手続、および該契約に基づいて申込者識別情報を記録媒体に書き込む処理を自動化することができ、省力化することが可能となる。
【００４９】
また、この発明によれば、販売装置がマイクロフォンとスピーカとを備えているため、契約手続や通信機器に関してオペレータが申込者に対して遠隔地から音声でのガイダンスを行うことが可能となり、スムースな販売が行える。また、店舗等に販売要員を常駐させる必要がなく、省力化につながる。
【００５０】
また、この発明によれば、申込者の身分証明書を撮影するための身分証明書撮影用カメラと、申込者自身を撮影するための申込者撮影用カメラとを備え、身分証明書撮影用カメラによって撮影された画像と、申込者撮影用カメラによって撮影された画像とを対比して確認できるようにしたため、遠隔地から申込者の本人確認を行うことが可能となり、省力化を行いながら、不正な契約手続を未然に防ぐことができる。
【００５１】
また、この発明によれば、身分証明書撮影用カメラによって撮影された画像と、前記操作手段を用いて入力された前記申込者の情報とを対比して確認できるようにしたため、省力化を行いながら、不正なあるいは誤った契約手続を未然に防ぐことができる。
【００５２】
また、この発明によれば、操作手段を用いて選択された通信機器を、代金決済の処理の完了後に排出するため、店員が介在することなく通信機器を販売することが可能となり、省力化につながる。
【００５３】
また、この発明によれば、販売装置は、複数の販売機と複数のオペレータ用端末とを備えており、センタシステムは、販売機側でオペレータを必要とする処理が発生した際には、その時点で空いている前記オペレータ用端末を当該販売機の処理のために接続し、販売機側でオペレータを必要とする処理が発生した際に空いているオペレータ用端末がない場合には、当該処理要求をセンタシステム内の待ち行列に一時的に蓄積するため、販売機の台数より少ない人数のオペレータでの販売を行うことが可能となる。
【図面の簡単な説明】
【図１】  この発明の一実施形態による販売装置の構成を示すブロック図である。
【図２】  同実施形態による販売装置であって、複数のオペレータ用端末（４）と複数の販売機（１）を含む構成を示すブロック図である。
【図３】  同実施形態による販売の処理手順の前半部分を示すフローチャートである。
【図４】  同実施形態による販売の処理手順の後半部分を示すフローチャートである。
【符号の説明】
１  販売機
２  通信ネットワーク
３  センタシステム
４  オペレータ用端末
１０  制御部
１１  映像・音声送受信部
１２  データ送受信部
１３  身分証明書撮影用カメラ
１４  申込者撮影用カメラ
１５  マイクロフォン
１６  スピーカ
１７  表示装置
１８  操作用ボタン
１９  記録媒体書込装置
３０  制御部
３１  映像・音声送受信部
３２  データ送受信部
３３  記憶部
【図１】
0003964640.tif 000002
【図２】
0003964640.tif 000003
【図３】
0003964640.tif 000004
【図４】
0003964640.tif 000005